(57)【要約】【課題】風景が変化してしまったとしても往時の風景を懐かしむことが可能な画像を表示させることができる懐かし画像表示装置、懐かし画像表示方法、及びプログラムを提供すること。【解決手段】画像ファイルの記録時に、この画像ファイルに関連する土地の地名が抽出される。懐かし画像判定部１３の地図取得部１３ａでは地名記録部１２ｂに記録された土地の地名の中から重要な土地の地名が抽出され、この抽出結果に基づいて地図サーバ２から周期的に重要な土地の地図情報が取得される。この取得される地図情報に変化があるか否かが地図変化判定部１３ｂによって判定され、変化があった場合には、情報表示制御部１４の制御により、そのときの地図情報とその地図情報に関連する画像とがＰＣ３のディスプレイ上に表示される。【選択図】図１
2008282282.tif 000002
【特許請求の範囲】
【請求項１】
画像ファイルを記録する記録部と、
上記記録部に上記画像ファイルが記録された際に、上記画像ファイルに関連する土地の地名を抽出し、該抽出結果から所定の条件に基づいて重要な土地の地名を抽出する地名抽出部と、
上記抽出された重要な土地の地名から、上記重要な土地における地図情報を所定周期毎にネットワークを介して取得し、取得した地図情報を上記画像ファイルと関連付けて記録する地図取得部と、
上記取得された地図情報の変化を判定する地図変化判定部と、
上記地図変化判定部により、上記地図情報が変化したと判定された場合に、上記記録部に記録された画像ファイルに基づく画像とともに上記地図情報を表示させる表示制御部と、
を具備することを特徴とする懐かし画像表示装置。
【請求項２】
上記地図変化判定部は、上記画像ファイルの記録時に取得された地図情報と、上記所定周期の経過毎に取得された地図情報とを比較して、上記地図情報の変化を判定することを特徴とする請求項１に記載の懐かし画像表示装置。
【請求項３】
上記所定の条件は、上記画像ファイル中に表情の良い画像が含まれている場合であることを特徴とする請求項１に記載の懐かし画像表示装置。
【請求項４】
上記記録部は、上記画像ファイルに対応付けられた文章ファイルをさらに記録し、
上記所定の条件は、上記文章ファイル中に好印象の記述がなされている場合又は上記文章ファイルに対応付けられた日付情報が休日及び休暇の何れかを示す場合であることを特徴とする請求項３に記載の懐かし画像表示装置。
【請求項５】
上記地図情報が変化したと判定された場合に、上記地図情報に関連付けられた画像ファイルに基づいて懐かしアルバムを作成する懐かしアルバム作成部をさらに具備することを特徴とする請求項１乃至４の何れかに記載の懐かし画像表示装置。
【請求項６】
画像ファイルの記録時に、上記画像ファイルに関連する土地の地名を抽出し、該抽出結果から所定の条件に基づいて重要な土地の地名を抽出し、
上記抽出された重要な土地の地名から、上記重要な土地における地図情報を所定周期毎にネットワークを介して取得し、取得した地図情報を上記画像ファイルと関連付けて記録し、
上記取得された地図情報の変化を判定し、
上記地図情報が変化したと判定された場合に、上記記録された画像ファイルに基づく画像とともに上記地図情報を表示させる、
ことを特徴とする懐かし画像表示方法。
【請求項７】
画像ファイルの記録時に、上記画像ファイルに関連する土地の地名を抽出し、該抽出結果から所定の条件に基づいて重要な土地の地名を抽出するステップと、
上記抽出された重要な土地の地名から、上記重要な土地における地図情報を所定周期毎にネットワークを介して取得し、取得した地図情報を上記画像ファイルと関連付けて記録するステップと、
上記取得された地図情報の変化を判定するステップと、
上記地図情報が変化したと判定された場合に、上記記録された画像ファイルに基づく画像とともに上記地図情報を表示させるステップと、
をコンピュータに実行させるための懐かし画像表示プログラム。
【発明の詳細な説明】
【技術分野】
【０００１】
本発明はユーザに懐かしさを感じさせる画像を表示させるための懐かし画像表示装置、懐かし画像表示方法、及びプログラムに関する。
【背景技術】
【０００２】
近年、ホームページに比べて作成が手軽な、所謂ブログ（blog：weblogの略）が流行している。また、このようなブログを使いやすくするアイデアも色々提案されている。
【０００３】
例えば、ブログはアップロードされたコンテンツが新しいものから順番に表示される、日記に近い体裁になっているものが多いが、こうしたブログをユーザが日々日記をつける感覚で簡単に作成できるシステムが提案されており、こうしたシステムを利用した様々なサービスも行われている。
【０００４】
また、一方で、ユーザが個人的に撮影して得られた画像を皆に見せたり、紛失したりしないように、画像を個人の所有する記録メディアに記録するだけでなく、ネットワークを介してウェブサーバ上に画像をアップロードすることも行われている。
【０００５】
また、特許文献１においては、撮影により得られた画像内の構築物を、ＧＰＳ機能と３次元地図情報とを利用して特定し、この特定結果に従って画像内の構築物の情報をユーザに提供するシステムが提案されている。
【特許文献１】特開２００６−１１９７９７号公報
【発明の開示】
【発明が解決しようとする課題】
【０００６】
ところで、例えば、ある場所に旅行をしたことがある人が、久しぶりにその場所に旅行をしたときに、その土地において、開発や新しい建物の建設、古い建物の取り壊し等が起こり、風景が変化してしまっていて、がっかりしてしまうということがあった。ここで、特許文献１は、撮影した画像と、さかんに充実が図られている地図コンテンツとの関係をその時点で比較するものであり、懐かしさとか、風景の変化によって生じる懐旧の情の反映等は考慮できるものではない。
【０００７】
本発明は、上記の事情に鑑みてなされたもので、風景が変化してしまったとしても往時の風景を懐かしむことが可能な画像を表示させることができる懐かし画像表示装置、懐かし画像表示方法、及びプログラムを提供することを目的とする。
【課題を解決するための手段】
【０００８】
上記の目的を達成するために、本発明の第１の態様の懐かし画像表示装置は、画像ファイルを記録する記録部と、上記記録部に上記画像ファイルが記録された際に、上記画像ファイルに関連する土地の地名を抽出し、該抽出結果から所定の条件に基づいて重要な土地の地名を抽出する地名抽出部と、上記抽出された重要な土地の地名から、上記重要な土地における地図情報を所定周期毎にネットワークを介して取得し、取得した地図情報を上記画像ファイルと関連付けて記録する地図取得部と、上記取得された地図情報の変化を判定する地図変化判定部と、上記地図変化判定部により、上記地図情報が変化したと判定された場合に、上記記録部に記録された画像ファイルに基づく画像とともに上記地図情報を表示させる表示制御部とを具備することを特徴とする。
【０００９】
また、上記の目的を達成するために、本発明の第２の態様の懐かし画像表示方法は、画像ファイルの記録時に、上記画像ファイルに関連する土地の地名を抽出し、該抽出結果から所定の条件に基づいて重要な土地の地名を抽出し、上記抽出された重要な土地の地名から、上記重要な土地における地図情報を所定周期毎にネットワークを介して取得し、取得した地図情報を上記画像ファイルと関連付けて記録し、上記取得された地図情報の変化を判定し、上記地図情報が変化したと判定された場合に、上記記録された画像ファイルに基づく画像とともに上記地図情報を表示させることを特徴とする。
【００１０】
また、上記の目的を達成するために、本発明の第３の態様の懐かし画像表示プログラムは、画像ファイルの記録時に、上記画像ファイルに関連する土地の地名を抽出し、該抽出結果から所定の条件に基づいて重要な土地の地名を抽出するステップと、上記抽出された重要な土地の地名から、上記重要な土地における地図情報を所定周期毎にネットワークを介して取得し、取得した地図情報を上記画像ファイルと関連付けて記録するステップと、上記取得された地図情報の変化を判定するステップと、上記地図情報が変化したと判定された場合に、上記記録部に記録された画像ファイルに基づく画像とともに上記地図情報を表示させるステップとをコンピュータに実行させる。
【発明の効果】
【００１１】
本発明によれば、風景が変化してしまったとしても往時の風景を懐かしむことが可能な画像を表示させることができる懐かし画像表示装置、懐かし画像表示方法、及びプログラムを提供することができる。
【発明を実施するための最良の形態】
【００１２】
以下、図面を参照して本発明の実施形態を説明する。  
図１は、本発明の一実施形態に係る懐かし画像表示装置を備える画像表示システムの構成を示す図である。図１に示す画像表示システムは、本発明の一実施形態に係る懐かし画像表示装置としての機能を有するサーバ１と、地図サーバ２と、パーソナルコンピュータ（ＰＣ）３とを有し、これらがネットワーク４を介してそれぞれデータ通信自在に接続されている。また、ＰＣ３にはデジタルカメラ５がデータ通信自在に接続され、デジタルカメラ５において撮影して得られた画像ファイルを、ＰＣ３から、ネットワーク４を介してサーバ１に送信可能になされている。
【００１３】
サーバ１は、通信部１１と、記録部１２と、懐かし画像判定部１３と、情報表示制御部１４とを有している。
【００１４】
通信部１１は、サーバ１が地図サーバ２、ＰＣ３と通信する際の通信制御を行う。  
記録部１２は、コンテンツ記録部１２ａと、地名記録部１２ｂとを有している。コンテンツ記録部１２ａは日記等の文章ファイルとデジタルカメラ５等から送信される画像ファイルとを含むコンテンツを記録する。地名記録部１２ｂはコンテンツ記録部１２ａに記録されているコンテンツから地名情報を抽出し、抽出した地名情報を整理して記録する。
【００１５】
懐かし画像判定部１３は、地図取得部１３ａと地図変化判定部１３ｂとを有している。地図取得部１３ａは、所定の条件に従って地名記録部１２ｂに記録されている地名の中でユーザが愛着を持っている土地の地名（以下、重要地名と称する）を抽出し、この重要地名に基づいて、所定周期毎に通信部１１を介して地図サーバ２にアクセスして重要地に対応した地図情報を取得し、取得した地図情報を重要地名と対応付けて記録する。地図変化判定部１３ｂは、所定周期毎に地図サーバ２から取得される地図情報に変化があるか否かを判定し、その判定結果を情報表示制御部１４及びアルバム作成部１５に通知する。
【００１６】
情報表示制御部１４はコンテンツ記録部１２ａに記録されているコンテンツをＰＣ３のディスプレイ上に表示させる際の制御を行う。また、情報表示制御部１４は地図変化判定部１３ｂの判定において、重要地の地図情報に変化があった場合にその地図情報を対応する画像とともにＰＣ３のディスプレイ上に表示させる制御も行う。
【００１７】
アルバム作成部１５は、重要地の地図情報に変化があった場合に、その重要地に対応した画像ファイルを懐かしいアルバム化する。この懐かしアルバム化処理については後述する。
【００１８】
地図サーバ２は、図示しない人工衛星からの画像信号を受け取り、重要地の周辺の地図情報を作成して記録する。この地図サーバ２は、受信部２１と、地形データ生成部２２と、画像処理部２３と、視点変換部２４と、地図記録部２５とを有している。
【００１９】
図２を参照して、地図サーバ２についてさらに説明する。人工衛星は、例えば図２の矢印Ａで示すような所定の衛星軌道上を移動しながら周期的に地表を撮影している。このように各ポイントを、位置を変えながら撮影することによって、地形や建物が視差をもって観察され、三角測量の原理によってその凹凸が把握される。近年、人工衛星によって撮影される画像の分解能が向上し、また画像信号もデジタル信号で送信できるようになったので、高精細な画像を劣化することなく地上に送ることが可能である。
【００２０】
人工衛星からの画像信号は受信部２１において受信される。地形データ生成部２２は、受信部２１を介して受信した画像信号から、高さ情報を含む地形データを生成する。このために、人工衛星が各位置で撮影した画像を分析して、画像内の各ポイントの高さ情報を判定する。図３（ａ）に示すように、人工衛星が、鉛直上空（参照符号１００ａの位置）で標高の高い地点Ａを撮影し、その後に位置１００ａから比較的短距離のＬ１だけ離れた１００ｂの位置に移動して撮影を行ったとすると、位置１００ａにおいて人工衛星の真下（人工衛星の有する撮像部における中央位置）で撮影された地点Ａは、位置１００ｂでは角度θ（人工衛星の有する撮像部においては中央位置から所定距離ｘだけ離れた位置）をもって撮影される。このθは、人工衛星の有する撮影レンズの焦点距離ｆとｘとから、  
θ＝ａｒｃｔａｎ（ｘ/ｆ）  
によって算出することが可能である。したがって、このθとＬ１とから高さ情報Ｈ１を、
Ｈ１＝Ｌ１ｔａｎ（９０°−θ）  
によって求めることが可能である。
【００２１】
また、地点Ａよりも低い標高の地点Ｂ（高さ情報Ｈ２）に対しては、人工衛星と地点Ｂとの距離が遠くなるので、地点Ｂを地点Ａと同じ角度θで撮影を行うためには、図３（ｂ）で示すように人工衛星がＬ１よりも長距離のＬ２だけ離れた位置１００ｃまで移動することになる。このように、地上の各ポイントに対し、人工衛星が位置を変えながら撮影を行って得られた画像を分析すると、単純に地上の様子が分かるだけでなく、各ポイントにおける高さ情報等の地形データも得ることが可能である。
【００２２】
画像処理部２３は、高さ情報を含む地形データから各ポイントの３次元地図画像を生成する。視点変換部２４は、画像処理部２３で得られた３次元地図画像に対し視点位置を変更した画像を生成する。これは、例えば視点を図４（ａ）のような上空においたときの画像や、図４（ｂ）のような上空よりも低い視座の画像、図４（ｃ）のような殆ど地面で立った状態のように見える画像（地上俯瞰画像）までも生成できる。このようにして作成された地図情報は地図記録部２５に記録される。
【００２３】
ＰＣ３はウェブページをブラウジングするためのディスプレイやウェブページ上で各種操作を行うためのマウスやキーボード等の各種操作部を有する、一般的なコンピュータである。
【００２４】
デジタルカメラ５は、被写体を撮影して画像ファイルを作成する。このデジタルカメラ５の構成は特に限定されるものではないが、デジタルカメラ５にＧＰＳ機能を持たせれば、重要地名の位置情報を画像ファイルに付帯させておくことが可能である。なお、画像ファイルをＰＣ３又はサーバ１に入力できるものであれば、必ずしもデジタルカメラ５を用いる必要はない。
【００２５】
以上のような画像表示システムにおいて、ユーザがＰＣ３から画像ファイル及び文章ファイルをサーバ１に送ると、画像ファイル及び文章ファイルはサーバ１の通信部１１において受信される。その後、受信された画像ファイル及び文章ファイルはコンテンツ記録部１２ａに記録される。なお、デジタルカメラ５にネットワーク４に接続する機能を持たせた場合にはデジタルカメラ５からサーバ１に直接、画像ファイルを送信することも可能である。
【００２６】
ここで、デジタルカメラ５によって得られる画像ファイルの例えばヘッダ部に撮影日付（日時）情報が記録されている。また、ＰＣ３で作成される文章ファイルは例えば日記形式等の日付を含む形式で記述されている。また、画像ファイルに写っている土地の地名が特定できる場合（例えばＧＰＳ機能を利用して）や文書ファイルに地名が含まれている場合には、それらによって特定される地名情報が日付毎に地名記録部１２ｂに記録される。
【００２７】
懐かし画像判定部１３の地図取得部１３ａでは、コンテンツ記録部１２ａに記録されている文書ファイルや画像ファイルにおいて、文章中に何度も出てくる地名や、定期的に撮影がなされている地名、愛着を持っていると考えられる地名等を重要地名として抽出する。なお、愛着を持っている地名か否かの判定は、地図取得部１３ａが有するデータベースを用いて行われる。このデータベースには、例えば「楽しい」、「嬉しい」、「気持ちいい」、「懐かしい」等の、その土地に好印象を持っていることを示す好印象テキストが記録されている。そして、重要地名か否かの判定においては、文書ファイルに、地名とともに好印象テキストが含まれている場合に、ユーザがその土地に愛着を持っていると判定する。ユーザにとって愛着のある場所が把握できるので、その土地の地図をモニタしておき、地図に変化があった場合には、その旨をユーザに通知するようにする。
【００２８】
例えば、図５の参照符号２０１で示すようなブログ記事（画像付き日記文章）がユーザによって作成された場合、記事の作成日「１月２０日」と「昨日」のテキストとから、記事の内容が「１月１９日」に起こったことが分かる。また、「メードリンク」という地名テキストと「楽しい」という好印象テキストとが含まれているので、そのときの体験はユーザによって楽しいものであり、「メードリンク」という土地がそのユーザにとって愛着のある重要地であると判定される。これらの判定結果は例えば参照符合２０２で示すような形式で日付毎に管理される。
【００２９】
また、重要地名の判定手法として、「夏休み」や「冬休み」等の特定の時期に訪れる土地を重要地名と判定するようにしても良い。さらに、画像内に人物が写っている場合には、その人物の表情から、その画像が思い出になるか否かを判定するようにしても良い。
【００３０】
なお、重要地名は、地名記録部１２ｂに記録されている全ての地名を重要地名としても良いが、後述する土地の変化を判定する際に、ユーザの家の近くのよく知っている土地の変化までも判定してしまうおそれがあるので、上述のようにしてある程度の数に絞り込むようにしたほうが良い。
【００３１】
以上のような各種の手法によって、重要地名が抽出されると、抽出された重要地名に対応した地図情報が周期的に地図サーバ２から取得される。この取得の際に地図情報に変化があった場合には地図情報とともにコンテンツ記録部１２ａに記録された画像がＰＣ３に表示される。
【００３２】
図６は、サーバ１によって実行される制御について示すフローチャートである。図６において、サーバ１はＰＣ３又はデジタルカメラ５から画像ファイル及び文章ファイルを含むコンテンツが入力されたか否かを判定する（ステップＳ１）。ステップＳ１において、画像ファイル及び文章ファイルを含むコンテンツが入力された場合に、入力されたコンテンツをコンテンツ記録部１２ａに記録させる（ステップＳ２）。その後、サーバ１は、入力されたコンテンツから地名を特定できるか否かを判定する（ステップＳ３）。例えば画像ファイルの場合にはＧＰＳによって測定された地名情報（若しくは撮影位置情報）が含まれているか否かによって判定する。また、文章ファイルの場合には、図５で示したように地名テキストが含まれているか否かによって判定する。ステップＳ３の判定において、入力されたコンテンツから地名を特定できない場合に、サーバ１は図６の処理を終了する。
【００３３】
一方、ステップＳ３の判定において、地名が特定できた場合にサーバ１は特定できた地名を地名記録部１２ｂに記録させる（ステップＳ４）。次に、サーバ１は、ユーザによって入力されたコンテンツに好印象テキストが含まれているか否かを判定する（ステップＳ５）。ステップＳ５の判定において、「楽しい」、「嬉しい」、「気持ちいい」、「懐かしい」等の好印象テキストがコンテンツに含まれていない場合（画像ファイルのみのコンテンツの場合も含む）に、サーバ１は、ユーザによって入力されたコンテンツの内容が、休日又は休暇（休暇は予めユーザが設定しておくものとする）に対応する日のものであるか否かを判定する（ステップＳ６）。ステップＳ６の判定において、コンテンツの内容が休日又は休暇に対応する日のものでない場合に、サーバ１は、ユーザによって入力されたコンテンツにおける画像内の人物の表情が良好なものであるか否かを判定する（ステップＳ７）。ステップＳ７の判定において、画像内の人物の表情が良好なものでない場合に、サーバ１は図６に示す処理を終了する。
【００３４】
ここで、ステップＳ７の表情判定について説明する。図７は、良好な表情判定処理の詳細について示すフローチャートである。図７において、まず、サーバ１は画像内の陰影分布から画像内の顔部における目部、口部を検出する（ステップＳ１０１）。より具体的には画像のコントラストを強調した状態で画像内において略円形をしている顔部を検出し、顔部内の陰影の分布から目部及び口部を検出する。
【００３５】
ステップＳ１０１において目部、口部を検出した後、サーバ１は、両目の瞳を結ぶ直線Ａの上側の白眼部分の面積ＥＡ（図８（ａ）参照）を求める（ステップＳ１０２）。次に、サーバ１は、両目の瞳を結ぶ直線Ａの下側の白眼部分の面積ＥＢ（図８（ａ）参照）を求める（ステップＳ１０３）。ＥＡ及びＥＢを求めた後、サーバ１は、ＥＡとＥＢの差をＥＡとＥＢの和で正規化した値ＲＥを求める（ステップＳ１０４）。ここで、笑顔の場合には図８（ａ）に示すようにＥＢが０に近くなるため、結果ＲＥが大きくなる。逆に困った顔の場合には図８（ｂ）に示すようにＥＡが０に近くなるため、結果ＲＥが小さくなる。したがって、ＲＥの大小から良好な表情であるか否かを判定することが可能である。
【００３６】
ＲＥを求めた後、サーバ１は、口の両端を結ぶ直線Ｂの上側の唇部分の面積ＬＡ（図８（ｂ）参照）を求める（ステップＳ１０５）。次に、サーバ１は、口の両端を結ぶ直線Ｂの下側の唇部分の面積ＬＢ（図８（ｂ）参照）を求める（ステップＳ１０６）。ＬＡ及びＬＢを求めた後、サーバ１は、ＬＢとＬＡの差をＬＡとＬＢの和で正規化した値ＲＬを求める（ステップＳ１０７）。ここで、笑顔の場合には図８（ａ）に示すようにＬＡが０に近くなるため、結果ＲＬが大きくなる。逆に困った顔の場合には図８（ｂ）に示すようにＬＢが小さくなるため、結果ＲＬが小さくなる。したがって、ＲＬの大小からも良好な表情であるか否かを判定することが可能である。
【００３７】
ＲＥ及びＲＬを求めた後、サーバ１はＲＥとＲＬの和Ｒを求める（ステップＳ１０８）。このＲは大きいほどそのときの表情は笑顔（良好な表情）に近いものとなる。さらに、図８（ａ）の矢印Ｃで示したように口の端部に影があったり、歯が見えていたりすると笑顔の確率が高い。そこで、サーバ１は口部分に歯（白部分）が検出され、かつ口端部に影があるか否かを判定する（ステップＳ１０９）。ステップＳ１０９の判定において、口部分に歯が検出され、かつ口端部に影がある場合に、サーバ１はＲに所定値（ここでは１）を加算する（ステップＳ１１０）。
【００３８】
一方、ステップＳ１０９の判定において、口部分に歯が検出され、かつ口端部に影がない場合、若しくはステップＳ１１０の後、サーバ１は眉間部分（目の間部分）に矢印Ｄで示すような皺があるか否かを判定する（ステップＳ１１１）。ステップＳ１１１の判定において、眉間部分に皺がある場合に、サーバ１はＲから所定値（ここでは１）を減算する（ステップＳ１１２）。即ち、眉間に皺が検出されるような表情では笑顔とは言えないのでステップＳ１１１の判定を行う。
【００３９】
以上のようにして求められるＲは笑顔に近いほど高い数値となる。このＲにより、画像に写っている人物被写体の表情が良好か否かを判定することが可能である。即ち、ステップＳ１１１又はステップＳ１１２の後、サーバ１はＲの値が所定値（ここでは２としている）以上であるか否かを判定する（ステップＳ１１３）。そして、ステップＳ１１３の判定において、Ｒが２以上である場合に、サーバ１は人物の表情が良好な表情であると判定する（ステップＳ１１４）。一方、ステップＳ１１３の判定において、Ｒが２未満である場合に、サーバ１は人物の表情が良好な表情でないと判定する（ステップＳ１１５）。ステップＳ１１４又はステップＳ１１５の後、図７の処理を抜ける。なお、画像内には複数の人物が存在している場合も考えられる。この場合には、例えば、画像内の人数分だけのＲを求め、過半数以上の人物に対するＲが所定値以上の場合に良い表情の画像と判定するようにすれば良い。
【００４０】
ここで、再び図６の説明に戻る。図６のステップＳ５の判定において好印象テキストがコンテンツに含まれている場合、ステップＳ６の判定においてコンテンツの内容が休日又は休暇に対応する日のものである場合、ステップＳ７の判定において画像内の人物の表情が良好なものである場合に、サーバ１はステップＳ４において記録した地名を重要地名に設定するとともに（ステップＳ８）、該重要地名に対応した土地の地図情報を地図サーバ２から取得して地図取得部１３ａに記録する（ステップＳ９）。その後に、サーバ１は図６に示す処理を終了する。
【００４１】
また、ステップＳ１の判定において、コンテンツの入力がなされていない場合に、サーバ１は、所定周期（例えば、１日や１週間）が経過したか否かを判定する（ステップＳ１０）。ステップＳ１０の判定において、所定周期が経過した場合に、サーバ１は、ステップＳ８において設定した重要地名の地図情報を再び取得する（ステップＳ１１）。地図情報の取得後、サーバ１は、取得した地図情報が、ステップＳ９において、画像ファイルの入力当時に地図取得部１３ａに記録された地図情報から変化したか否かを判定する（ステップＳ１２）。ステップＳ１２の判定において、地図情報に大きな変化があった場合に、サーバ１は、アルバム作成部１５により、変化があった地図情報に関連付けられた画像を懐かしアルバム化する（ステップＳ１３）。これは、例えば変化のあった地図情報に対応付けられた画像ファイルに懐かしアルバム画像であることを示すフラグを設定して、コンテンツ記録部１２ａの通常の画像ファイルが記録される領域とは異なる記録領域に記録する処理である。この懐かしアルバム化された画像は所定の懐かしアルバム画像表示用のウェブページで閲覧することが可能である。このようにして懐かしアルバムを構成することにより、重要地において開発工事等が行われても開発工事等が行われる前の画像を閲覧することができ、ユーザはその当時を懐かしむことが可能である。
【００４２】
懐かしアルバム化の後、サーバ１は、地図情報とそれに関連付けられた画像とをＰＣ３のディスプレイ上に表示させる（ステップＳ１４）。その後に、サーバ１は図６の処理を終了する。なお、ステップＳ１４での表示は、例えば、変化前と変化後の地図情報とその地図情報に関連付けられた画像とを表示させる。
【００４３】
また、地図情報を表示させる代わりに、図９に示すようにして、土地の変化を表わす画像を地図情報から作成して表示させるようにしても良い。例えば、図９は、重要地とされたメードリンクにおいて工事がなされた場合を示しており、このような情報が地図情報の変化から判定された場合には、ユーザによって入力されたコンテンツ３０１とともに、工事がなされる前の画像３０２と、工事がなされた後の画像３０３とがＰＣ３に表示される。
【００４４】
また、ステップＳ１２の判定において、地図情報の変化がない場合に、サーバ１は図６の処理を終了する。さらに、ステップＳ１０の判定において、所定周期が経過していない場合に、サーバ１はユーザによってコンテンツの再生指示がなされたか否かを判定する（ステップＳ１５）。そして、ステップＳ１５の判定において、コンテンツの再生指示がなされていない場合には、図６の処理を終了する。一方、ステップＳ１５の判定において、コンテンツの再生指示がなされた場合に、サーバ１はユーザによって選択されたコンテンツをＰＣ３において再生する（ステップＳ１６）。その後、図６の処理を終了する。
【００４５】
以上説明したように、本実施形態によれば、重要地における風景の変化を地図情報の変化から判定し、変化があった場合にはその旨を当時にユーザが作成したコンテンツとともにユーザに通知することができる。これにより、ユーザはその当時の風景を懐かしむことが可能である。また、地図情報の変化があった場合には、変化前の画像を懐かしアルバム化することにより、ユーザは風景が変化してしまって今は見ることができない風景の画像を閲覧することができ、いつでも懐かしさに浸ることが可能である。
【００４６】
以上実施形態に基づいて本発明を説明したが、本発明は上述した実施形態に限定されるものではなく、本発明の要旨の範囲内で種々の変形や応用が可能なことは勿論である。例えば、上述した実施形態では、地図サーバ２で作成される地図情報が３次元の地図情報であるが、２次元の地図情報を作成するようにしても良い。
【００４７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００４８】
【図１】本発明の一実施形態に係る画像表示装置を備える画像表示システムの構成を示す図である。
【図２】地図サーバによる地図情報作成について説明するための第１図である。
【図３】地図サーバによる地図情報作成について説明するための第２図である。
【図４】地図情報の視点変換について示す図である。
【図５】重要地名について説明するための図である。
【図６】サーバによって実行される制御について示すフローチャートである。
【図７】良好な表情判定処理の詳細について示すフローチャートである。
【図８】図８（ａ）は良好な表情の例を示す図であり、図８（ｂ）は良好でない表情の例を示す図である。
【図９】変形例としての風景変化の情報の表示例について示す図である。
【符号の説明】
【００４９】
１…サーバ、２…地図サーバ、３…パーソナルコンピュータ（ＰＣ）、４…ネットワーク、５…デジタルカメラ、１１…通信部、１２…記録部、１２ａ…コンテンツ記録部、１２ｂ…地名記録部、１３…懐かし画像判定部、１３ａ…地図取得部、１３ｂ…地図変化判定部、１４…情報表示制御部、１５…アルバム作成部、２１…受信部、２２…地形データ生成部、２３…画像処理部、２４…視点変換部、２５…地図記録部
【図１】
2008282282.tif 000003
【図２】
2008282282.tif 000004
【図３】
2008282282.tif 000005
【図４】
2008282282.tif 000006
【図５】
2008282282.tif 000007
【図６】
2008282282.tif 000008
【図７】
2008282282.tif 000009
【図８】
2008282282.tif 000010
【図９】
2008282282.tif 000011